(57)【要約】【課題】  従来は過去に録画した番組と番組情報が一致した番組しか録画予約できず、操作者の嗜好に合った番組を録画予約できない。また、操作者の様々な操作に対して複雑な情報処理を行う必要があった。さらに、録画条件を入力設定する必要があり、これが変わった場合は再入力することが必要で、手間がかかる。【解決手段】  番組情報を供給する番組情報供給手段５１と、過去に録画された番組情報を記憶する録画情報記憶手段５２と、上記番組情報供給手段５１と上記録画情報記憶手段５２から出力される番組情報から過去に録画された番組情報を抽出する録画番組情報抽出手段５３と、上記番組情報供給手段５１と上記録画番組情報抽出手段５３の出力に基づいて録画する推奨番組を抽出する録画推奨番組抽出手段５４と、上記録画推奨番組抽出手段５４により抽出された番組の情報を表示する抽出結果表示手段５５とを備える。【選択図】        図１
2005117138.tif 000002
【特許請求の範囲】
【請求項１】
番組情報を供給する番組情報供給手段と、過去に録画された番組情報を記憶する録画情報記憶手段と、上記番組情報供給手段と上記録画情報記憶手段から出力される番組情報から過去に録画された番組情報を抽出する録画番組情報抽出手段と、上記番組情報供給手段から出力される番組情報と上記録画番組情報抽出手段から出力される録画推奨値に基づいて録画する推奨番組を予め設定された基準値と比較することにより抽出する録画推奨番組抽出手段と、上記録画推奨番組抽出手段により抽出された録画推奨番組の情報を表示する抽出結果表示手段とを備えたことを特徴とする録画推奨番組抽出装置。
【請求項２】
番組情報を供給する番組情報供給手段と、過去に録画された番組情報を記憶する録画情報記憶手段と、上記番組情報供給手段と上記録画情報記憶手段から出力される番組情報から過去に録画された番組情報を抽出する録画番組情報抽出手段と、録画する番組を記録する記録媒体の記録可能残量時間を検出する手段と、上記番組情報供給手段から出力される番組情報と上記録画番組情報抽出手段から出力される録画推奨値と上記記録媒体の記録可能残量時間の検出結果に基づいて録画する推奨番組を予め設定された基準値と比較することにより抽出する録画推奨番組抽出手段と、上記録画推奨番組抽出手段により抽出された録画推奨番組の情報を表示する抽出結果表示手段とを備えたことを特徴とする録画推奨番組抽出装置。
【請求項３】
上記番組情報供給手段は、放送局から送られてくるデータ放送を受信する手段を備え、放送局から送られてくる受信データから番組情報を抽出することを特徴とする請求項１または２に記載の録画推奨番組抽出装置。
【請求項４】
上記番組情報供給手段は、電話回線、またはインターネット回線とのインターフェース手段を備え、電話回線、またはインターネット回線から送られてくるデータを受信し、その受信データから番組情報を抽出することを特徴とする請求項１または２に記載の録画推奨番組抽出装置。
【請求項５】
上記番組情報供給手段は、情報記録媒体読み出し手段を備え、情報記録媒体より読み出したデータから番組情報を抽出することを特徴とする請求項１または２に記載の録画推奨番組抽出装置。
【請求項６】
上記番組情報は、番組が放送される日時、チャンネル、および番組の種別であることを特徴とする請求項１乃至５に記載の録画推奨番組抽出装置。
【請求項７】
上記番組情報は、番組が放送される日にち、放送開始時間、放送終了時間、出演者、チャンネル、番組の種別の少なくともいずれか一つ以上を含んでいることを特徴とする請求項１乃至５に記載の録画推奨番組抽出装置。
【請求項８】
上記録画推奨番組抽出手段は、予め設定された期間内、もしくは予め設定された録画回数に達するまでに録画された番組の番組情報を項目別に分けて統計情報を求め、上記統計情報に基づいて放送される番組に対して録画する推奨番組を抽出することを特徴とする請求項１乃至７に記載の録画推奨番組抽出装置。
【請求項９】
上記項目別に分けて統計情報を求める際に、番組情報の各項目ごとに重みづけし、統計情報を求めることを特徴とする請求項８に記載の録画推奨番組抽出装置。
【発明の詳細な説明】
【技術分野】
【０００１】
本発明は、放送番組から録画する推奨番組を自動的に抽出する録画推奨番組抽出装置に関するものである。
【背景技術】
【０００２】
従来の放送番組の録画推奨番組抽出装置は、過去に記録または再生した番組に関する情報を読み出し、この読み出した番組情報と番組情報の内容が一致した番組を情報信号から検索し、その検索結果に基づいて予約録画する構成となっている（例えば、特許文献１参照。）。また、操作者の操作履歴から各操作を点数化して嗜好度合いとして操作対象の番組情報から利用者の嗜好を把握し、嗜好情報に該当する番組を検索するものもある（例えば、特許文献２参照。）。さらに、録画する録画条件を操作者が予め入力する構成となっているものもある（例えば、特許文献３参照。）。
【０００３】
【特許文献１】特開２００１−２５７９７４号公報（第３−７頁、第１図）
【特許文献２】特開２００１−８６４２０号公報（第５−９頁、第１図）
【特許文献３】特開平７−１２１９３５号公報（第２−３頁、第１図））
【発明の開示】
【発明が解決しようとする課題】
【０００４】
特許文献１に開示されている従来の録画推奨番組抽出装置では、過去に録画した番組の番組情報と今後放送される番組の番組情報が「一致」した番組を録画予約する方法が開示されているが、あくまでも過去に録画した番組の番組情報と放送される番組の番組情報が「一致」した番組を録画予約できるだけであって、操作者の嗜好は過去に録画した番組の番組情報とは一致するものではないので、操作者の嗜好に合った番組を抽出して録画予約することはできないという問題があった。
【０００５】
また、特許文献２に開示されている従来の録画推奨番組抽出装置では、操作者の番組選択、視聴、録画、録画予約、録画した番組の削除などの操作によって、その操作に応じた点数を与え、（点数としては正または負の値が前記操作に応じて与えられる。）嗜好の度合いを判断するようになっているので、操作者のさまざまな操作についての情報処理を行う必要があり、その情報処理が複雑でプログラムを格納するために大きなメモリ領域を必要とするという問題があった。さらに、過去の番組に対しての嗜好度合いを求める方法として、利用者の操作を点数化して、どんな番組情報を持つ番組を見たかをその番組情報の重要度としてその点数の値によって判断し、高得点の番組情報を持つ番組を嗜好の高い番組と判断することが開示されているが、その嗜好度合いから如何にして録画する番組を抽出して自動録画するかについては、「なにを継続して自動録画をするかは複数のパターンが考えられる。例えば同一のシリーズ、同一のジャンル、同一の出演者、同一の作家、監督などである。」と記載されているだけで、具体的な自動録画のアルゴリズムについては何も示されていない。
【０００６】
また、特許文献３に開示されている従来の録画推奨番組抽出装置では、録画するために録画条件として、番組種別、あるいは出演者等の情報を操作者が予め入力する必要があり、さらに操作者が録画したい番組条件が変わった場合は、その都度、操作者が録画条件を変更して再入力するという操作が必要であり、手間がかかるという問題があった。
【０００７】
本発明は、上記のような従来の問題点を解決するためになされたものであり、過去に録画した番組の番組情報と放送される番組の番組情報が「一致」している必要がなく、しかも過去の録画履歴のみを利用するだけで、操作者のさまざまな操作についての情報処理を行う必要がなく、さらに、予め録画条件等の入力および変更の操作を行う必要もなく、利用者の嗜好に合った番組を判定し、録画する推奨番組を自動抽出できる装置を提供することを目的とする。
【課題を解決するための手段】
【０００８】
この上記目的を達成するために本発明の録画推奨番組抽出装置は、番組情報を供給する番組情報供給手段と、過去に録画された番組情報を記憶する録画情報記憶手段と、上記番組情報供給手段と上記録画情報記憶手段から出力される番組情報から過去に録画された番組情報を抽出する録画番組情報抽出手段と、上記番組情報供給手段から出力される番組情報と上記録画番組情報抽出手段から出力される録画推奨値に基づいて録画する推奨番組を予め設定された基準値と比較することにより抽出する録画推奨番組抽出手段と、上記録画推奨番組抽出手段により抽出された録画推奨番組の情報を表示する抽出結果表示手段とを備えたものである。
【発明の効果】
【０００９】
本発明によれば、過去の録画履歴のみを利用するだけで、利用者の嗜好に合った番組を判定するので、過去に録画した番組の番組情報と放送される番組の番組情報が必ずしも「一致」している必要がなく、しかも操作者のさまざまな操作についての複雑な情報処理を行う必要もなく、さらに、予め録画条件等の入力および変更の操作を行うという面倒な操作も必要なく、利用者の嗜好に合った録画する推奨番組を自動的に抽出することができる。
【発明を実施するための最良の形態】
【００１０】
実施の形態１．
以下、本発明を実施の形態を図面に基づいて具体的に説明する。図１は本発明の実施の形態１である録画推奨番組抽出装置を示す機能ブロック図である。図１において、５１は番組情報を供給する番組情報供給手段、５２は操作者の過去に録画したことのある番組の録画履歴を記憶する録画情報記憶手段、５３は番組情報供給手段５１より供給された番組情報と録画情報記憶手段５２に記憶された録画情報に基いて過去に録画された番組情報を抽出する録画番組情報抽出手段、５４は番組情報供給手段５１、および録画番組情報抽出手段５３の出力に基いて録画する推奨番組を自動的に抽出する録画推奨番組抽出手段、５５は録画推奨番組抽出手段５４の抽出結果に従って抽出された番組を表示する抽出結果表示手段である。
【００１１】
また、図２は本発明の実施の形態１である録画推奨番組抽出装置の番組情報供給手段５１により供給される番組情報の一例を示した図である。供給される番組情報は、例えば番組情報供給リスト５６に示した各種情報を含んでおり、それらは番組を放送する年月日５７、番組のジャンルを示す種別５８、番組名５９、番組の開始時刻６０、番組の終了時刻６１、番組を放送するチャンネル６２、番組の出演者６３により構成されている。
【００１２】
また、図３は本発明の実施の形態１である録画推奨番組抽出装置の録画情報記憶手段５２の動作を説明するための録画情報リスト６４の一例である。録画情報リスト６４は操作者が過去に録画を行った番組の録画履歴を示すリストであって、操作者が録画した年月日６５、録画を開始した時刻６６、録画を終了した時刻６７、録画したチャンネル６８という情報から構成されている。
【００１３】
また、図４は本発明の実施の形態１である録画推奨番組抽出装置の録画番組情報抽出手段５３の動作を説明するための録画番組情報抽出リスト６９の一例である。録画番組情報抽出リスト６９は例えば図４に示すように、種別で録画回数を抽出するリスト７０、番組名で録画回数を抽出するリスト７１、番組開始時刻で録画回数を抽出するリスト７２、録画したチャンネルで録画回数を抽出するリスト７３、出演者で録画回数を抽出するリスト７４により構成されている。ここで、各リスト７０〜７４は予め設定された期間（例えば直近の１カ月間）、あるいは予め設定した録画回数（例えば直近の１００回）という録画番組情報抽出期間あるいは回数を設定し、その期間内、あるいはその録画回数に達するまでに操作者が録画した全ての番組について、上記種別、番組名等の各種類の条件に該当する録画回数をカウントし、そのカウント値を記憶しているものである。
【００１４】
図５〜図８は、本発明の実施の形態１である録画推奨番組抽出装置の録画推奨番組抽出手段５４の動作を説明するための図である。図５に示した録画推奨設定リスト７５は、図４に示した録画番組情報抽出リスト６９で抽出された条件別録画回数７６、および条件別録画回数７６に基づき与えられたポイント・ｈ７７と、録画推奨を設定する際の優先度を決めるために、種別７０、番組名７１、開始時刻７２、チャンネル７３、出演者７４という条件に対して重みづけを行う値・ｗを掛け合わせた値である録画推奨値・ｈ×ｗ７８により構成されている。ここで各項目に重みづけを行う値・ｗは、０≦ｗ≦１を満足する任意の値である。ポイント・ｈ７７は図４に示した録画番組情報抽出リスト６９において、その種別の録画回数の値が何位であったかにより、例えば図６に示すように決定される。例えば、種別の重みづけを行う値・ｗを０．８とすると、各種別ごとの録画推奨値・ｈ×ｗ７８は図５に示すリスト内に示すような値となる。
【００１５】
各項目に重みづけを行う値・ｗは、録画推奨番組を抽出するのに、図４に示した録画番組情報抽出リスト６９に示した各項目「種別」、「番組名」、「開始時刻」、「チャンネル」、「出演者」に対してどの項目にどれだけの重点をおくのかを決めるための係数であり、その値は０≦ｗ≦１の範囲の値となる。例えば、「出演者」に最も重点をおいて録画推奨番組を抽出する場合、「出演者」の重みづけを行う値・ｗは、他の項目と比較して最も大きな値（１に近い値）に設定され、「開始時刻」や「チャンネル」はあまり重要な項目ではなくなるので、比較的小さな値（０に近い値）に設定される。
【００１６】
上記のように、過去に録画された番組に対して種別ごとに統計処理が行われ、図５に示した録画推奨設定リスト７５が作られる。次に、その統計処理結果を使って、放送される予定の番組に対して総合録画推奨値を算出する。その説明を示したのが、図７、図８である。放送される予定の番組情報を番組情報供給手段５１より取得し、その番組に対して各条件ごとにポイント・ｈ７９、録画推奨値・ｈ×ｗ８１を求め、録画推奨値・ｈ×ｗ８１を集計し、この集計値を総合録画推奨値として算出する。図７は図２に示す番組情報供給リスト５６における番組Ｅについて、図８は図２に示す番組情報供給リスト５６における番組Ｆについて、それぞれ総合録画推奨値を算出した場合を示している。
【００１７】
また、図９は本発明の実施の形態１である録画推奨番組抽出装置の抽出結果表示手段５５の動作を説明するための図である。録画推奨番組抽出手段５４において、それぞれの番組に対して総合録画推奨値が算出され、総合録画推奨値が予め設定した値以上になった番組を抽出し、その結果を抽出結果表示手段５５によってリスト化して表示する。例えば、図９に示したリスト８７のように表示される。なお、リスト８７は、年月日８８、番組名８９、開始時刻９０、終了時刻９１、チャンネル９２の項目で構成される。
【００１８】
次に、図１〜図９を用いて本発明の実施の形態１の録画推奨番組抽出装置の動作をより詳細に説明する。
【００１９】
図１において、まず、録画情報記憶手段５２で、過去に録画したことのある番組の録画履歴の記憶を行い、その記憶結果を図３に示す録画情報リスト６４に示すように、操作者が録画を実施した年月日６５、録画開始時刻６６、録画終了時刻６７、録画チャンネル６８の各項目の情報を記憶する。
【００２０】
操作者が予約録画を設定する際、録画すべき年月日、録画を開始する時刻、終了する時刻、録画すべきチャンネルを設定する必要があり、これらの設定項目を本装置が備える図示しない不揮発性メモリに保持しておくことによって過去に録画した履歴を記憶しておくことが可能となる。また、予約録画ではなく操作者が本装置の録画ボタンを押下するなどして録画を開始し、停止ボタンを押下するなどして録画を停止したような録画作業の場合は、本装置に内蔵された図示しない時計により、録画を行った年月日と録画開始時刻と終了時刻を知ることができ、またこのときのチューナーの選局状態から録画されたチャンネルを知ることができる。よってこのような録画がなされた場合も、録画年月日、録画を開始した時刻、終了した時刻、録画したチャンネル情報を上記不揮発性メモリに保持しておくことにより、過去に録画した履歴として記憶しておくことが可能である。
【００２１】
次に、録画番組情報抽出手段５３では、番組情報供給手段５１により供給される図２に示す番組情報供給リスト５６、および録画情報記憶手段５２により検出される図３に示す録画情報リスト６４を照合し、操作者が過去に録画したものは番組情報供給手段５１により供給された番組情報の中のどれであるのかを判断する。図２に示す番組情報供給リスト５６と図３に示す録画情報リスト６４を比較すると、操作者が録画した番組は、番組Ｂ、番組Ｃ、番組Ｄであることがわかる。
【００２２】
図３では、番組情報供給リスト５６の開始・終了時刻と、録画情報リスト６４の開始・終了時刻が一致する場合を示したが、開始・終了時刻は必ずしも一致しているわけではない。これらが一致していない場合は、番組情報供給リスト５６中の番組の一部のみを録画している場合と、複数の番組を一度に録画している場合が存在する。番組の一部のみを録画している場合は、例えばその番組の放送時間の５０％以上の時間を録画している場合は録画該当番組とみなし、放送時間の５０％未満の時間を録画している場合は録画該当番組とみなさない、などの判断が可能である。また、複数の番組にわたって一度に録画されている場合は、複数の番組を録画該当番組とみなす。
【００２３】
そして次に、上記録画該当番組から番組の録画番組情報の抽出を行い、図４に示す録画番組情報抽出リスト６９を生成する。録画番組情報抽出リスト６９は、上記録画該当番組から種別、番組名、番組開始時刻、チャンネル、出演者という条件別に、予め設定した期間内（例えば直近の１カ月間）、あるいは予め設定した録画回数（例えば直近の１００回）に達するまで、それぞれの条件に該当する録画が何回行われたかという条件別録画回数をカウントし、それぞれのカウント値を記憶する。録画番組情報抽出リスト６９において、開始時間７２は、例えば、録画を開始した時間が２０時から２０時５９分５９秒までの間であれば、２０：００：００に開始したとしてカウントされる。例えば、図２に示した番組名Ｂについては、種別としてニュースに１、番組名として番組名Ｂに１、開始時刻として２２：００に１、チャンネルとして８に１、出演者として出演者ｂに１を加算することになり、これと同様の作業を上記予め設定した期間内、あるいは予め設定した録画回数に達するまでに録画された全ての番組に対して実行する。なお、前述の説明では番組開始時間は１時間単位としたが、例えば１０分、１５分、３０分単位のようにより細かくしたり、２時間、３時間、半日単位のようにより粗くして開始時間を分類してカウントするようにしても構わない。
【００２４】
次に録画推奨番組抽出手段５４では、録画番組情報抽出手段５３において生成された図４に示す録画番組情報抽出リスト６９について、それぞれ抽出された条件別録画回数７６について統計的な処理を行い、放送される番組に対して録画する推奨番組を抽出する。以下、その動作について具体的に説明する。
【００２５】
まず、種別７０に着目し、条件別録画回数７６に対してポイント・ｈ７７を求める。ポイント値は、例えば図６に示したように、録画回数の順位で決定する。例えば、ニュースであれば図４に示した例では録画回数が１位なので、ポイント・ｈ７７の値は７となる。これにより、過去により多くの回数録画された種別には高いポイントが与えられる。図５では種別７０についてのみ示したが、番組名７１、開始時刻７２、チャンネル７３、出演者７４という条件に対しても同様にしてそれぞれのポイントを求める。これら他の条件に対しても図６に示したように録画回数の順位によってそれぞれのポイント・ｈが決まる。
【００２６】
次に、録画推奨を設定する際の優先度を決めるための重みづけを行う値・ｗを上記ポイント・ｈと掛け合わせた値である録画推奨値・ｈ×ｗ７８を求める。ただし、０≦ｗ≦１とする。図５では、ニュース、ドラマ、映画、音楽、アニメ、バラエティ、教育等の項目を含む種別７０という条件についての録画推奨設定リスト７５を例として図５に示したが、録画推奨値・ｈ×ｗ７８についても同様に番組名７１、開始時刻７２、チャンネル７３、出演者７４等の条件について値を求め、録画推奨設定リストを生成する。これは、それぞれの項目をどれだけ重要視し、録画推奨に反映するかの加減を決定するための統計処理である。図５に示した例では、種別は比較的重要な条件であると判断し、ｗ＝０．８と設定した。例えば、出演者７４については非常に大切な条件であるため、強く録画推奨値したほうがよいと考えられるため、例えばｗ＝０．９という大きな値を設定し、チャンネル７３についてはそれほど重要な条件ではないと考えて、例えばｗ＝０．３というような小さな値に設定しておくこととなる。
【００２７】
さらに、録画推奨番組抽出手段５４では、上記方法で求められた録画推奨設定リストに基づき、放送される番組に対して、以下に説明する総合録画推奨値を求める。この総合録画推奨値が大きければ、録画推奨する度合いが高い番組であると判断する。
【００２８】
番組情報供給手段５１により供給される番組情報である図２に示す番組情報供給リスト５６において、放送される予定の番組Ｅおよび番組Ｆを例として、総合録画推奨値の求め方を説明する。ここでは予め決めた重み付けｗの値として、種別０．８、番組名０．８、開始時刻０．４、チャンネル０．３、出演者０．９と設定しておくものとする。なお、重みづけｗの値は、０≦ｗ≦１を満たす値であればここで述べた値以外の値であっても構わないことは言うまでもない。さらに、重みづけｗの値を大きく設定した種別、番組名、出演者に対するｗの値を小さく設定し、開始時刻、チャンネルの重みづけｗの値を大きな値に設定しても構わない。
【００２９】
番組Ｅについては、図７に示したように、種別「ニュース」、番組名「番組名Ｅ」、開始時刻「１９：００」、チャンネル「６」、出演者「出演者ｅ」であるので、上述してきたように図４、図５、図６から各録画推奨値を求めることができる。番組Ｅについては、種別「ニュース」は５．６、番組名「番組名Ｅ」は３．２、開始時刻「１９：００」は２．０、チャンネル「６」は１．５、出演者「出演者ｅ」は０となる。これら録画推奨値を合計した値が、総合録画推奨値である。よって番組Ｅの総合録画推奨値は１２．３となる。同様にして、番組Ｆの総合録画推奨値は図８に示したように５．５となる。
【００３０】
録画推奨番組に該当するか否かの判断は、上記のようにして算出した総合録画推奨値の大きさによってその判断を行う。例えば、この判断を行う基準値を１０．０に設定した場合、算出された総合録画推奨値とこの基準値とを比較し、基準値以上の総合録画推奨値を有する番組Ｅは録画推奨番組とみなし、基準値未満の総合録画推奨値を有する番組Ｆは録画推奨番組とはみなさない。このようにして、放送される予定の番組に対して総合録画推奨値を求め、これが上記基準値以上となった番組を録画推奨番組抽出手段５４において、抽出することで録画推奨番組を決定する。
【００３１】
上記方法によって抽出された番組は、抽出結果表示手段５５によって表示される。例えば図９に示したようなリスト形式で抽出された番組が表示される。表示される項目は、抽出された番組の放送年月日８８、番組名８９、開始時刻９０、終了時刻９１、チャンネル９２である。操作者はこの表示から録画したい番組を選択し、録画予約設定をすることができる。こうして録画予約設定された番組は、その番組の開始日時になると放送番組を受信し、テープやディスク等の各種情報記録媒体に記録される。
【００３２】
実施の形態２．
上記実施の形態１で述べた録画推奨番組に該当するか否かの判断を行う基準値は、上記説明で述べたように固定値として予め一意的に決定しておいてもよいし、テープやディスク等の情報記録媒体の記録可能な残り時間を検出して、録画推奨番組の総時間がテープやディスク等の情報記録媒体に記録可能な時間を越えないように基準値を可変値として予め設定し、録画推奨番組を決定してもよい。
【００３３】
以下、情報記録媒体の記録可能な残り時間の情報も用いた場合の録画推奨番組の決定方法について説明する。
【００３４】
記録媒体の残り容量は、ファイルシステムなどが管理しているので、この管理情報から記録媒体の残り容量がわかる。また本発明の録画推奨番組抽出装置を搭載した録画装置のセットアップ時などの設定で、推奨番組を録画するビットレートを予め設定しておくことで、情報記録媒体に番組を記録するビットレートも決まる。ここで、前記管理情報から算出した残り容量を情報記録媒体に記録するビットレートで割り算すれば、情報記録媒体の記録可能な残り時間を算出することができる。
【００３５】
次に、放送される番組に対して総合録画推奨値を上記で述べた方法によって求めていく。例えば、番組Ａ、番組Ｂ、番組Ｃ、番組Ｄの総合録画推奨値が、それぞれ、２０、１５、７、３であり、このときの情報記録媒体の残り容量が２ＧＢであるとする。また、番組Ａ、番組Ｂ、番組Ｃ、番組Ｄを記録するのに必要な容量が、それぞれ、０．８ＧＢ、０．４ＧＢ、０．６ＧＢ、０．５ＧＢであるとする。（各番組の記録に必要な容量は、録画するビットレートと番組の放送時間を乗ずることで算出できる。）このとき、総合録画推奨値に基づいて、番組Ａ、番組Ｂ、番組Ｃ、番組Ｄの順で優先度がつけられて情報記録媒体に各番組を録画しようとするが、情報記録媒体の残り容量が２ＧＢであるので、番組Ａから番組Ｃまでは録画されるが、番組Ｄは録画推奨番組であるにも関わらず録画されないことになる。よって、情報記録媒体の残り容量、すなわち記録可能な残り時間との兼ね合いから、総合録画推奨値が大きい番組の順にその記録容量を加算していき、この録画推奨番組を記録するために必要な容量が情報記録媒体の残り容量を超えたときの番組の録画推奨値よりも大きく、この番組の一つ前に記録容量を加算した番組の録画推奨値よりも小さな値を録画推奨番組として判断を行う基準値として採用して録画推奨番組の抽出を行うようにする。なお、この例では、この基準値は７と３の間の任意の値に設定すればよく、これによって情報記録媒体に記録可能な残り時間の範囲で録画推奨番組の選定を行うことが可能となる。
【００３６】
実施の形態３．
実施の形態１である録画推奨番組抽出装置の番組情報供給手段５１により供給される番組情報の一例について図２に示したが、この番組情報を取得する手段と方法としては、例えば、放送局から送られてくるデータ放送を受信し、そのデータをデコードして番組情報を抽出する手段により番組情報を得る方法、番組情報が提供される局番に電話をかけ、電話回線を通じて送られてくるデータを受信し、そのデータから番組情報を抽出する手段により番組情報を得る方法、インターネットに接続し、インターネット上のサーバーから番組情報を取得する手段により番組情報を得る方法、あるいは、テープやディスク、メモリカードなどの情報記録媒体に番組情報が記録されている場合、その媒体からデータを読み出して番組情報を抽出する手段により番組情報を得る方法等が考えられ、いずれの方法を用いても実施の形態１と同様の録画推奨番組抽出装置を得ることができる。ただし、番組情報の取得方法は上記に限定するものではない。
【００３７】
実施の形態４．
実施の形態１として説明した図６において、ポイント・ｈの与え方を順位ごとの差を一律に１ポイントとしたが、ポイントの付け方はこれに限るものではなく、例えば各項目の出現回数に応じて傾斜をつけてポイントを与えてもよい。例えば、図４に示した種別に関して、１位のニュースのポイント・ｈを１０ポイントとした場合、２位のドラマはニュースの半分の出現回数なので、ポイント・ｈを５ポイントとするというように出現回数に比例させてポイントの付け方に傾斜をつけてもよい。なお、２位のポイントは５ポイントに限るものではなく、その他の値であっても構わないのは言うまでもない。
【００３８】
実施の形態５．
本発明の実施の形態１として説明した図４の録画番組情報抽出リストの条件項目は、種別７０、番組名７１、開始時刻７２、チャンネル７３、出演者７４に限るものではなく、例えば曜日等を条件項目に追加しても構わない。または前述の一部項目を含まないようにして条件項目の数を絞り込んでも構わない。
【００３９】
実施の形態６．
本発明の実施の形態１として説明した録画推奨値７８を求めるための重みづけ・ｗは固定値として予め設定しておいてもよいし、操作者の要望に応じて重みづけｗの値を変更できるように設定しても構わない。
【００４０】
実施の形態７．
本発明の実施の形態１として説明した図７および図８の出演者は、どちらも１番組に対して１人としたが、出演者の数は１番組１人に限るものではなく、それぞれの出演者に対する録画推奨値を求めることができるので、１番組に対して２人以上の複数の出演者を対象として録画推奨値を算出するようにしてもよい。
【００４１】
また、上記各実施の形態の説明で述べた録画回数を抽出するリスト７４の予め設定された直近の期間は、上記説明で述べた１ヶ月間に限るものではなく、例えば、２週間、２ヶ月、３ヶ月、半年、…、というような期間であっても構わず、また、予め設定した直近の録画回数についても、上記説明で述べた１００回に限るものではなく、例えば、５０回、１５０回、２００回、…、というような回数であっても構わないのは言うまでもない。さらに、番組情報供給リスト５６において、その番組の放送時間の５０％以上の時間を録画していれば録画該当番組と判断する際の５０％という値はこの値に限るものではなく、これ以外の値、例えば６０％、７０％、４０％、３０％、…、であっても構わないのは言うまでもない。
【００４２】
さらに、録画番組情報抽出リスト６９において、種別の重みづけを行う値ｗを０．８以外の数値としても構わず、さらに、総合録画推奨値を求める際の重み付けｗの値は、０≦ｗ≦１を満たしていれば上記説明で述べた０．９、０．８、０．４、０．３以外の数値としても構わず、またさらに、録画推奨番組と判断する総合録画推奨値の基準値を１０．０以外の数値としても構わないのは言うまでもない。
【図面の簡単な説明】
【００４３】
【図１】本発明の実施の形態１の録画推奨番組抽出装置の機能ブロック図である。
【図２】本発明の実施の形態１の番組情報供給手段５１から供給される番組情報を説明するための図である。
【図３】本発明の実施の形態１の録画情報記憶手段５２を説明するための図である。
【図４】本発明の実施の形態１の録画番組情報抽出手段５３を説明するための図である。
【図５】本発明の実施の形態１の録画推奨番組抽出手段５４の録画推奨設定方法を説明するための図である。
【図６】本発明の実施の形態１の録画推奨番組抽出手段５４のポイントのつけ方について説明するための図である。
【図７】本発明の実施の形態１の録画推奨番組抽出手段５４の総合録画推奨値の求め方について説明するための図である。
【図８】本発明の実施の形態１の録画推奨番組抽出手段５４の総合録画推奨値の求め方について説明するための図である。
【図９】本発明の実施の形態１の抽出結果表示手段５５の表示リストについて説明するための図である。
【符号の説明】
【００４４】
５１  番組情報供給手段
５２  録画情報記憶手段
５３  録画番組情報抽出手段
５４  録画推奨番組抽出手段
５５  抽出結果表示手段
【図１】
2005117138.tif 000003
【図２】
2005117138.tif 000004
【図３】
2005117138.tif 000005
【図４】
2005117138.tif 000006
【図５】
2005117138.tif 000007
【図６】
2005117138.tif 000008
【図７】
2005117138.tif 000009
【図８】
2005117138.tif 000010
【図９】
2005117138.tif 000011